(57)【要約】      （修正有）【課題】卓上カレンダーにおいて、３か月分の表示を相手と対面しながらであっても簡便に確認できるようにする。【解決手段】卓上カレンダー４０は、暦情報が表示されている複数枚のカレンダー用紙と、複数枚のカレンダー用紙を裏側から支持しながら起立する支持部材２５と、複数枚のカレンダー用紙および支持部材２５を回動可能に綴じ込んだ綴じ部材３０とを有している。複数枚のカレンダー用紙は、それぞれの正表面と副表面に３か月分の暦情報が表示され、カレンダー用紙の副表面と、カレンダー用紙の正表面の暦情報が共通している。【選択図】図１
0003210752.tif 000002
【実用新案登録請求の範囲】
【請求項１】
複数枚のカレンダー用紙と、該複数枚のカレンダー用紙を裏側から支持しながら起立する支持部材と、該支持部材および前記複数枚のカレンダー用紙を回動可能に綴じ込んだ綴じ部材とを有し、
前記複数枚のカレンダー用紙は、それぞれの表側の正表面とその裏側の副表面に当月、翌月、翌々月を含む３か月分の暦情報が表示され、かつ前記複数枚のカレンダー用紙のいずれかひとつの第１のカレンダー用紙とその直後に前記綴じ部材に綴じ込まれている第２のカレンダー用紙とについて、該第１のカレンダー用紙の前記副表面に表示されている前記暦情報と、該第２のカレンダー用紙の前記正表面に表示されている前記暦情報とが共通している卓上カレンダー。
【請求項２】
前記複数枚のカレンダー用紙は、それぞれの前記正表面と前記副表面に、前記正表面よりも前記副表面が１か月分進んだ進行表示によって前記暦情報が表示され、かつ前記第１のカレンダー用紙の前記正表面よりも前記第２のカレンダー用紙の前記正表面が１か月分進んだ進行表示によって前記暦情報が表示されている請求項１記載の卓上カレンダー。
【請求項３】
前記複数枚のカレンダー用紙は、前記正表面および前記副表面において、前記暦情報が前記当月、翌月、翌々月の順に縦方向に並べて配置され、かつ各月の末日とその翌月初日とが連続して表示される連続表示によって前記暦情報が表示されている請求項１または２記載の卓上カレンダー。
【請求項４】
前記複数枚のカレンダー用紙は、前記正表面および前記副表面において、前記翌月が前記当月または前記翌々月と色が異なるようにした色分表示によって前記暦情報が表示されている請求項１〜３のいずれか一項記載の卓上カレンダー。
【請求項５】
前記第１のカレンダー用紙の直前に前記綴じ部材に綴じ込まれている表紙を更に有し、該表紙は、前記第１のカレンダー用紙の前記正表面と共通する前記暦情報が表側の正表面の裏側の副表面に表示されている請求項２記載の卓上カレンダー。
【考案の詳細な説明】
【技術分野】
【０００１】
本考案は、複数枚のカレンダー用紙が回動可能に綴じ込まれている卓上カレンダーに関する。
【背景技術】
【０００２】
従来、机やテーブル等の上に置いて使用する卓上カレンダーが知られている。例えば、カレンダーが印刷された用紙をケースにセットしたタイプ（例えば、特許文献１参照）や、矩形状のベースシートに複数枚のカレンダー用紙が接着され、使用するときにそのベースシートを中央で折り曲げ、表側と裏側にカレンダー表示がなされるようにしたタイプ（例えば、特許文献２参照）などが知られている。また、複数枚のカレンダー用紙が回動可能に綴じ込まれ、各カレンダー用紙に月単位のカレンダーが印刷されているタイプ（例えば、特許文献３参照）も知られている。
【先行技術文献】
【特許文献】
【０００３】
【特許文献１】特開２００９−２９８１３１号公報
【特許文献２】特開２００５−１９３４５９号公報
【特許文献３】特開２０１０−５９３７号公報
【考案の概要】
【考案が解決しようとする課題】
【０００４】
ところで、卓上カレンダーを参照しながら年月や曜日、日々の予定を確認するときは、当月に加えて、その翌月や前月のカレンダー表示の確認が必要になることがある。そのため、カレンダー表示には、当月とともにその翌月や前月を加えた複数月が含まれることが望ましい。この点に関し、従来、例えば、特許文献１に開示されている卓上カレンダーのように、連続する２か月のすべてを表示するタイプがあり、また、市販されている卓上カレンダーの中には、当月とともにその翌月や前月を加えた複数月が表示されているものもあった（例えば図８参照）。
【０００５】
しかし、特許文献１に開示されている卓上カレンダーの場合は、１つの表示面に連続する２か月が表示されるに過ぎないため、当月とその翌月、または当月とその前月の確認には不都合はないものの、当月の翌々月の予定の確認が必要な場合（例えば、当月が３月で５月の予定の確認が必要な場合）には、その翌月の表示面を表示させねばならず、不便であった。
【０００６】
また、図８に示す従来の卓上カレンダー１００ように、当月の暦情報が表示される当月表示部１０１とともに、その前月表示部１０２や翌月表示部１０３が設けられている場合、その前月表示部１０２や翌月表示部１０３の大きさが当月表示部１０１に加えて小さいために見にくい。そのうえ、各月の表示の大きさや場所が不ぞろいであるため、月末から月初にいたる箇所の表示に連続性がなく、その前後の確認がやりにくいという課題があった。
【０００７】
さらに、暦情報が表側にだけ表示されているときは、例えば、相手と対面しながらの確認の場合に暦情報の表示面を表側から裏側に入れ替える必要があり、これも不便であった。
【０００８】
本考案は、上記課題を解決するためになされたもので、卓上カレンダーにおいて、当月とその翌月、さらにその翌々月を含む３か月分の表示を相手と対面しながらであっても簡便に確認できるようにすることを目的とする。
【課題を解決するための手段】
【０００９】
上記課題を解決するため、本考案は、複数枚のカレンダー用紙と、その複数のカレンダー用紙を裏側から支持しながら起立する支持部材と、その支持部材および複数枚のカレンダー用紙を回動可能に綴じ込んだ綴じ部材とを有し、複数枚のカレンダー用紙は、それぞれの表側の正表面とその裏側の副表面に当月、翌月、翌々月を含む３か月分の暦情報が表示され、かつ複数枚のカレンダー用紙のいずれかひとつの第１のカレンダー用紙とその直後に綴じ部材に綴じ込まれている第２のカレンダー用紙とについて、その第１のカレンダー用紙の副表面に表示されている暦情報と、その第２のカレンダー用紙の正表面に表示されている暦情報とが共通している卓上カレンダーを特徴とする。
【００１０】
上記卓上カレンダーにおいて、複数枚のカレンダー用紙は、それぞれの正表面と副表面に、正表面よりも副表面が１か月分進んだ進行表示によって暦情報が表示され、かつ第１のカレンダー用紙の正表面よりも第２のカレンダー用紙の正表面が１か月分進んだ進行表示によって暦情報が表示されていることが好ましい。
【００１１】
また、複数枚のカレンダー用紙は、正表面および副表面において、暦情報が当月、翌月、翌々月の順に縦方向に並べて配置され、かつ各月の末日とその翌月初日とが連続して表示される連続表示によって暦情報が表示されていることが好ましい。
【００１２】
さらに、複数枚のカレンダー用紙は、正表面および副表面において、翌月が当月または翌々月と色が異なるようにした色分表示によって暦情報が表示されていることが好ましい。
【００１３】
さらにまた、第１のカレンダー用紙の直前に綴じ部材に綴じ込まれている表紙を更に有し、その表紙は、第１のカレンダー用紙の正表面と共通する暦情報が表側の正表面の裏側の副表面に表示されていることが好ましい。
【考案の効果】
【００１４】
以上詳述したように、本考案によれば、卓上カレンダーにおいて、当月とその翌月、さらにその翌々月を含む３か月分の表示を相手と対面しながらであっても簡便に確認できるようにすることができる。
【図面の簡単な説明】
【００１５】
【図１】本考案の実施の形態に係る卓上カレンダーの斜視図である。
【図２】表紙とカレンダー用紙のそれぞれに表示されている暦情報の一例を模式的に示した図である。
【図３】連続した表紙またはカレンダー用紙の一例を模式的に示した図で、（ａ）は表紙と第１のカレンダー用紙、（ｂ）は第１のカレンダー用紙と第２のカレンダー用紙、（ｃ）は第２のカレンダー用紙と第３のカレンダー用紙を示す図である。
【図４】第３のカレンダー用紙の正表面の一例を示す正面図である。
【図５】表紙の正表面と、副表面の一例をそれぞれ示した正面図である。
【図６】卓上カレンダーの表紙をめくった状態を模式的に示した斜視図である。
【図７】変形例に係る卓上カレンダーのカレンダー用紙を示す正面図である。
【図８】従来の卓上カレンダーのカレンダー用紙を示す正面図である。
【考案を実施するための形態】
【００１６】
以下、本考案の実施の形態について図面を参照しつつ説明する。なお、同一要素には同一符号を用い、重複する説明は省略する。
【００１７】
図１から図６を参照して、本考案の実施の形態に係る卓上カレンダー４０について説明する。ここで、図１は、卓上カレンダー４０の斜視図、図２は表紙２６とカレンダー用紙１〜１２のそれぞれに表示されている暦情報の一例を模式的に示した図、図３は連続した表紙２６またはカレンダー用紙１，２，３の一例を模式的に示した図で、（ａ）は表紙２６とカレンダー用紙１、（ｂ）はカレンダー用紙１とカレンダー用紙２、（ｃ）はカレンダー用紙２とカレンダー用紙３を示す図である。図４はカレンダー用紙３の正表面３ａの一例を示す正面図、図５は表紙２６の正表面２６ａと、副表面２６ｂの一例をそれぞれ示した正面図、図６は卓上カレンダー４０の表紙２６をめくった状態を模式的に示した斜視図である。
【００１８】
図１に示すように、卓上カレンダー４０は、カレンダー用紙群２０と、カレンダー用紙群２０を裏側から支持しながら起立する支持部材２５と、表紙２６と、カレンダー用紙群２０、支持部材２５および表紙２６を回動可能に綴じ込んだ綴じ部材３０とを有している。卓上カレンダー４０は、支持部材２５の後述する台座部２４が図示しない机などに接している状態で起立する。
【００１９】
カレンダー用紙群２０には、図２に示すように、厚紙や樹脂製シート材などからなる矩形状のカレンダー用紙１，２，３・・・１０，１１，１２を含む複数（本実施の形態では、１２枚）のカレンダー用紙が含まれている（カレンダー用紙４〜９は図示を省略している）。各カレンダー用紙は、上端部に綴じ部材３０に応じた複数の綴じ孔１３が形成され（図４参照）、それぞれ、表側の面（正表面）とその裏側の面（副表面）とがあり、そのそれぞれに暦情報が表示されている。
【００２０】
カレンダー用紙１，２，３・・・１０，１１，１２は、それぞれ１月，２月，３月・・・１０月，１１月，１２月を当月の暦情報として含み、その当月に加えて、翌月、翌々月を含む３か月分の暦情報が表示されている。その暦情報には、少なくとも、月、日付および曜日が含まれる。暦情報は、正表面、副表面のそれぞれにおいて、左側端部に月が表示され、最上部に曜日が表示され、その曜日の表示から下側に日付が横並びに表示されている。各月の暦情報は同等の大きさで表示されている。
【００２１】
当月の暦情報として１月（January）を含むカレンダー用紙がカレンダー用紙１（本考案における第１のカレンダー用紙に相当する）であり、その直後に続いて（背面側）綴じ込まれているカレンダー用紙がカレンダー用紙２（本考案における第２のカレンダー用紙に相当する）であり、さらにその次に続いて綴じ込まれているカレンダー用紙がカレンダー用紙３である。以後、順にカレンダー用紙１２までが綴じ部材３０に綴じ込まれている。
【００２２】
そして、各カレンダー用紙１，２，３・・・１０，１１，１２の正表面（１ａ，２ａ，３ａ・・・１０ａ，１１ａ，１２ａ）と，副表面（１ｂ，２ｂ，３ｂ・・・１０ｂ，１１ｂ，１２ｂ）のそれぞれに３か月分の暦情報が表示されている。例えば、カレンダー用紙１の正表面１ａには、当月、翌月、翌々月として、１月、２月、３月の３か月分の暦情報が表示され、カレンダー用紙２の正表面２ａには、当月、翌月、翌々月として、２月、３月、４月の３か月分の暦情報が表示されている。
【００２３】
また、綴じ部材３０に連続して綴じ込まれている２つのカレンダー用紙、例えば、カレンダー用紙１とカレンダー用紙２について、前者の副表面１ｂに表示されている暦情報と、後者の正表面２ａに表示されている暦情報とが共通している。しかも、卓上カレンダー４０の場合は、次の進行表示によって暦情報が表示されている。
【００２４】
まず、各カレンダー用紙１，２，３・・・１０，１１，１２について、それぞれの正表面（１ａ，２ａ，３ａ・・・１０ａ，１１ａ，１２ａ）よりも、副表面が１か月分進んだ進行表示によって暦情報が表示されている。例えば、図２に詳しく示すように、カレンダー用紙１の場合、正表面１ａの暦情報が１月、２月、３月の３か月分であるのに対し、副表面１ｂの暦情報が２月、３月、４月の３か月分になっていて、副表面が１か月分進んだ進行表示によって表示されている。同様に、カレンダー用紙２の正表面２ａの暦情報が２月、３月、４月であるのに対し、副表面２ｂの暦情報が３月、４月、５月であり、さらにカレンダー用紙３の正表面３ａの暦情報が３月、４月、５月であるのに対し、副表面３ｂの暦情報が４月、５月、６月であり、いずれも１か月分の進行表示になっている。
【００２５】
また、各カレンダー用紙１，２，３・・・１０，１１，１２のいずれかの正表面よりも、その直後に綴じ込まれているカレンダー用紙の正表面が１か月分進んだ進行表示によって暦情報が表示されている。例えば、正表面１ａの暦情報が１月、２月、３月の３か月分であるのに対し、正表面２ａの暦情報が２月、３月、４月の３か月分になっていて、正表面１ａの暦情報よりも正表面２ａの暦情報が１か月分進んだ進行表示によって暦情報が表示されている。
【００２６】
同様に、各カレンダー用紙１，２，３・・・１０，１１，１２と、その次に綴じ込まれているカレンダー用紙それぞれの副表面に関しても、前者より後者が１か月分進んだ進行表示によって暦情報が表示されている。例えば、副表面１ｂの暦情報が２月、３月、４月の３か月分であるのに対し、副表面２ｂの暦情報が３月、４月、５月の３か月分になっている。
【００２７】
さらにまた、各カレンダー用紙１，２，３・・・１０，１１，１２に関して、正表面、副表面それぞれにおいて、当月、翌月、翌々月を含む３か月分の暦情報が縦方向に並べて配置され、しかも、連続表示によって暦情報が表示されている。例えば、カレンダー用紙３の正表面３ａの場合、図４に詳しく示すように、３月（March）の暦情報が表示されている第１の暦情報表示部３ａａと、４月（April）の暦情報が表示されている第２の暦情報表示部３ａｂと、５月（May）の暦情報が表示されている第３の暦情報表示部３ａｃとを有し、これらがカレンダー用紙３の長手方向に沿った縦方向に並べて配置されている。各月の暦情報は曜日を揃えた形式で配置されている。
【００２８】
第１の暦情報表示部３ａａは、３月の暦情報が表示されているので、末日が「３１」であり、第２の暦情報表示部３ａｂは、４月の暦情報が表示され、その初日は「１」であるが、表示エリアＳ１に示すように、この３月の暦情報の末日「３１」と、４月の暦情報の初日「１」とが連続して表示されている。また、表示エリアＳ２に示すように、４月の暦情報の末日「３０」と、５月の暦情報の初日「１」とが連続して表示されている。このような各月の末日とその翌月初日とが連続して表示される表示方式を本実施の形態では、連続表示という。
【００２９】
そして、各カレンダー用紙１，２，３・・・１０，１１，１２に関して、正表面および副表面において、色分表示によって暦情報が表示されている。色分表示とは、翌月の暦情報が当月または翌々月と色が異なるようにした表示方式を意味している。詳しくは、図４に示すように、第１の暦情報表示部３ａａと、第３の暦情報表示部３ａｃとが共通する色で表示され、それらの間の第２の暦情報表示部３ａｂがそれらとは異なる色で表示されている。図４では、第２の暦情報表示部３ａｂを網掛けして表示しているが、これは、そのほかとは異なる色で表示されていることを示している。
【００３０】
さらに、表紙２６に関しては、図５に示すように、表側の正表面２６ａには、西暦，和暦などが表示される（または装飾を表示してもよい、無表示でもよい）のに対し、その裏側の副表面２６ｂには、３か月分の暦情報が表示されている。この副表面２６ｂには、カレンダー用紙１の正表面１ａと共通する暦情報、すなわち、当月、翌月、翌々月として１月、２月、３月を含む３か月分の暦情報が表示されている。表紙２６にも、各カレンダー用紙１，２，３・・・１０，１１，１２と同様の図示しない綴じ孔が形成されている。
【００３１】
支持部材２５は、カレンダー用紙１，２，３・・・１０，１１，１２よりも厚手の紙または樹脂シート材などからなっている。支持部材２５は、図１に示すように、表側支持部２３ａ、裏側支持部２３ｂおよび台座部２４を有し、これらが一体となった三角筒状の部材である。
【００３２】
表側支持部２３ａ、裏側支持部２３ｂは、下端部に台座部２４が接続され、上端部の綴じ孔（図示せず）に綴じ部材３０が挿通されている。表側支持部２３ａは、各カレンダー用紙１，２，３・・・１０，１１，１２よりも幾分大きい矩形状に形成され、それらをその裏側から支持し、正表面１ａ，２ａ，３ａ・・・１０ａ，１１ａ，１２ａを表示させる。裏側支持部２３ｂも、各カレンダー用紙１，２，３・・・１０，１１，１２よりも幾分大きい矩形状に形成され、各カレンダー用紙１，２，３・・・１０，１１，１２をその裏側から支持し、副表面１ｂ，２ｂ，３ｂ・・・１０ｂ，１１ｂ，１２ｂを表示させる。台座部２４は、２つの板部２４ａ、２４ｂを有し、その幅方向中央の折れ線２４ｃで二つ折りまたは平坦な状態に変更できる（図１は、折れ線２４ｃで幾分折り曲げた状態を示している）。
【００３３】
綴じ部材３０は、リング状部材であり、カレンダー用紙１，２，３・・・１０，１１，１２の綴じ孔１３、支持部材２５および表紙２６の綴じ孔に挿通され、これらを回動可能に綴じ込んだ部材である。
【００３４】
以上のような卓上カレンダー４０は、図６に示すように、まず、はじめに表紙２６をめくり、それを背面側に回動させて使用する。表側では、各カレンダー用紙１，２，３・・・１０，１１，１２が表側支持部２３ａに支持されていて、表紙２６をめくったことでカレンダー用紙１の正表面１ａが出現する。一方、裏側（背面側）では、表紙２６が裏側支持部２３ｂに支持され、その副表面２６ｂが出現する。
【００３５】
そして、図３（ａ）に示すように、正表面１ａの１月、２月、３月を含む３か月分の暦情報が表示されている状態で背面側に副表面２６ｂが表示されるが、副表面２６ｂには、正表面１ａと共通する暦情報、すなわち、１月、２月、３月を含む３か月分の暦情報が表示される。そのため、卓上カレンダー４０では、表側と裏側（背面側）の暦情報が共通した表示になる。したがって、卓上カレンダー４０では、相手と対面しながらの確認の場合に表側と裏側を入れ替える必要がなくなり、簡便に確認が行える。
【００３６】
また、カレンダー用紙１をめくり背面側に回動させると、図３（ｂ）に示すように、表側にはカレンダー用紙２の正表面２ａが出現し、背面側には、カレンダー用紙１の副表面１ｂが出現する。さらに、カレンダー用紙２をめくり背面側に回動させると、図３（ｃ）に示すように、正面には、カレンダー用紙３の正表面３ａが出現し、背面側には、カレンダー用紙２の副表面２ｂが出現する。
【００３７】
卓上カレンダー４０は、連続して綴じ込まれている２つのカレンダー用紙について、前のカレンダー用紙の副表面の暦情報と、後のカレンダー用紙の正表面の暦情報とが共通していることから、カレンダー用紙をめくった後の表側（めくったカレンダー用紙の次のカレンダー用紙）と、裏側（めくられたカレンダー用紙）の暦情報が共通した表示になる。したがって、卓上カレンダー４０では、どの月であっても相手と対面しながらの確認が簡便に行える。
【００３８】
そして、カレンダー用紙１，２，３・・・１０，１１，１２は、暦情報が当月、翌月、翌々月を含む３か月分表示され、かつ進行表示によって暦情報が表示されているから、各カレンダー用紙をめくるごとに暦情報が１月ずつ進行していく。そのため、年月や曜日、日々の予定の確認が簡便に行え、月ごとの変化が把握しやすい。また、各月の暦情報が色分表示によって表示されているから、暦情報が連続表示によって表示されていても、各月の区切りが明確になり、月の区別が行いやすい。各月の暦情報が同等の大きさで表示されているから、翌月や翌々月の表示が年配者にも見やすく好適である。
【００３９】
また、暦情報が縦方向に並べて配置され、かつ連続表示によって表示されているから、月末から月初にいたる箇所の表示に連続性があり、前後の確認が簡便に行える。表紙２６の副表面２６ｂにカレンダー用紙１の副表面１ｂと共通する暦情報が表示されているから、表紙２６をめくったときから、表側と裏側の暦情報が共通した表示にすることができる。
【００４０】
以上の実施形態では、カレンダー用紙１，２，３・・・１０，１１，１２に縦方向に並んだ暦情報が表示されているが、図７に示すように、暦情報を横方向に並べて暦情報を表示させることもできる。暦情報が縦方向に並んでいるときは、同じ曜日の日付が縦に並ぶので、曜日ごとの日付が確認しやすい。これに対し、図７のように暦情報を横方向に並べた場合は月ごとに曜日を表示させる必要がある。しかしながら、カレンダー用紙における暦情報を、連続して綴じ込まれている２つのカレンダー用紙の前のカレンダー用紙の副表面の暦情報と、後の正表面の暦情報とを共通にすることで、前述の実施形態と同様の効果が得られる。
【００４１】
以上の説明は、本考案の実施の形態についての説明であって、この考案の装置及び方法を限定するものではなく、様々な変形例を容易に実施することができる。又、各実施形態における構成要素、機能、特徴あるいは方法ステップを適宜組み合わせて構成される装置又は方法も本考案に含まれるものである。
【産業上の利用可能性】
【００４２】
本考案を適用することにより、当月とその翌月、さらにその翌々月を含む３か月分の表示を相手と対面しながらであっても簡便に確認できるようにすることができる。本考案は、卓上カレンダーの分野で利用することができる。
【符号の説明】
【００４３】
１，２，３・・・１０，１１，１２…カレンダー用紙、１ａ，２ａ，３ａ・・・１０ａ，１１ａ，１２ａ…正表面、１ｂ，２ｂ，３ｂ・・・１０ｂ，１１ｂ，１２ｂ…副表面、２０…カレンダー用紙群、２５…支持部材、２６…表紙、３０…綴じ部材、４０…卓上カレンダー。
【図１】
0003210752.tif 000003
【図２】
0003210752.tif 000004
【図３】
0003210752.tif 000005
【図４】
0003210752.tif 000006
【図５】
0003210752.tif 000007
【図６】
0003210752.tif 000008
【図７】
0003210752.tif 000009
【図８】
0003210752.tif 000010